(57)【要約】【課題】パチンコ機の製造コストの低減を図るとともに、照明装置から照射された光を効率よく使用する。【解決手段】遊技盤面に装飾を施すための装飾部材２２を設ける。装飾部材２２を透光性を有する材料で形成する。装飾部材２２の前面を、ＬＥＤから光が照射される被照射面２２ａ、遊技盤面側の面をＬＥＤからの光を反射する反射面２２ｂとする。反射面２２ｂを鋸歯状に形成し、メッキ加工を施す。遊技盤面にＬＥＤを設ける。ＬＥＤは、遊技盤面を照明する。ＬＥＤからの光が装飾部材２２で反射して、装飾部材２２が光る。【選択図】        図２
2004337527.tif 000002
【特許請求の範囲】
【請求項１】
遊技媒体が発射される遊技領域が設けられた遊技盤と、前記遊技領域を照明する照明装置と、前記遊技盤の遊技盤面に取り付けられ、前記遊技盤面を装飾する装飾部材とを備えた遊技機であって、
前記装飾部材に、前記照明装置からの光を反射する反射面が設けられていることを特徴とする遊技機。
【請求項２】
前記装飾部材を透光性を有する部材で形成し、前記装飾部材の表面のうち、前記遊技盤面側の面に前記反射面を設けたことを特徴とする請求項１記載の遊技機。
【請求項３】
前記装飾部材の表面に、前記照明装置からの光を拡散させる拡散部を設けたことを特徴とする請求項１又は２記載の遊技機。
【請求項４】
前記拡散部は、鋸歯状の部分を備えたことを特徴とする請求項３記載の遊技機。
【発明の詳細な説明】
【０００１】
【発明の属する技術分野】
本発明は、遊技場に設置して使用されるパチンコ機などの遊技機に関するものである。
【０００２】
【従来の技術】
本明細書中ではパチンコ機を例に挙げて説明しているため、遊技媒体としてパチンコ球を用いて説明するが、遊技媒体としてはメダルなどの他の媒体も含む。また、遊技盤面に設けられた入賞口にパチンコ球が入ることを入賞とする。
【０００３】
遊技機の一つであるパチンコ機はパチンコ店などの遊技場に設置されている。一般にパチンコ機を含む遊技機は、パチンコ球発射装置や球受け皿が設けられた本体ユニット、パチンコ球が発射される遊技領域が設けられた遊技盤に、遊技状態に応じて各種装置を作動制御する制御回路装置などが取り付けられた遊技盤ユニット、少なくとも遊技盤面の遊技領域を覆うガラス扉が設けられている。遊技盤ユニット及びガラス扉は本体ユニットの前面側に取り付けられ、ガラス扉は開閉自在になっている。
【０００４】
また、パチンコ機の中には、遊技盤面を装飾するための装飾部材が設けられているものがある。装飾部材は例えば透光性を有する材料で形成されており、さらに、装飾部材を照明するための照明装置が設けられている。照明装置としては例えばＬＥＤが用いられ、遊技が開始されると、遊技状態に応じてＬＥＤの点灯制御が行われて遊技者への視覚的な演出効果が高められる。
【０００５】
【発明が解決しようとする課題】
しかしながら、上記のような装飾部材が設けられたパチンコ機では、ＬＥＤの配置位置を工夫しないと、ＬＥＤから照射された光が装飾部材と遊技盤面との隙間から漏れてしまい、ＬＥＤから照射された光を効率よく使用することができないという問題があった。また、装飾部材を照明するためのＬＥＤを設けると、ＬＥＤを制御させるための基板も設けなければならないこともあり、このことが、パチンコ機の製造コストを上昇させる原因となっていた。
【０００６】
本発明は、上記課題を解決するためになされたもので、パチンコ機の製造コストの低減を図るとともに、照明装置から照射された光を効率よく使用することができるようにした遊技機を提供することを目的とする。
【０００７】
【課題を解決するための手段】
上記目的を達成するために、本発明の遊技機は、遊技媒体が発射される遊技領域が設けられた遊技盤と、前記遊技領域を照明する照明装置と、前記遊技盤の遊技盤面に取り付けられ、前記遊技盤面を装飾する装飾部材とを備えた遊技機であって、前記装飾部材に、前記照明装置からの光を反射する反射面が設けられているものである。
【０００８】
なお、前記装飾部材を透光性を有する部材で形成し、前記装飾部材の表面のうち、前記遊技盤面側の面に前記反射面を設けることが好ましい。
【０００９】
また、前記装飾部材の表面に、前記照明装置からの光を拡散させる拡散部を設けることが好ましい。
【００１０】
また、前記拡散部は、鋸歯状の部分を備えていることが好ましい。
【００１１】
【発明の実施の形態】
図１及び図２に示す本実施の形態に係る遊技機であるパチンコ機１０は、本体ユニット１１、遊技盤ユニット１２、ガラス枠１３とを備えている。本体ユニット１１には、パチンコ球発射装置、賞球払い出し装置、電源回路、ランプＲ、スピーカーＳなどの遊技状態に応じて作動される装置が設けられている。
【００１２】
遊技盤ユニット１２は遊技盤１２ａと制御回路装置１２ｂとから構成されている。遊技盤１２ａの遊技領域１２ｃには、図柄表示装置１４、始動入賞口（入賞口）１５、通常入賞口１６、通過入賞口１７、アタッカ１８などの所定入賞口及びアウト口１９が設けられている。制御回路装置１２ｂは、遊技盤１２ａの背面側に設けられており、この制御回路装置１２ｂは、遊技状態に応じて各種装置を作動制御するものである。なお、図示は省略してあるが、遊技盤面１２ｄには複数の障害釘や風車などが適宜箇所に設けられている。
【００１３】
制御回路装置１２ｂは、機種に応じたゲームを実行処理させるメイン制御基盤（メイン制御装置）１２ｅや図柄表示装置１４の表示制御、ランプＲの点灯制御、スピーカーＳから出力される音声制御などを行うサブ制御基盤（サブ制御装置）１２ｆなどから構成されている。
【００１４】
操作ハンドルＨを操作すると、遊技媒体であるパチンコ球がパチンコ球発射装置によって一個ずつ遊技盤１２の遊技領域１２ｃに打ち出され、始動入賞口１５、通常入賞口１６、通過入賞口１７、アウト口１９のいずれかに入る。始動入賞口１５にパチンコ球が入ったときには図柄表示装置１４が作動され、表示されている図柄の可変表示が所定時間行われて当たり判定や演出処理が行われる。そして、図柄の可変表示が停止したときに入賞有効位置上に所定の停止図柄の組み合わせが得られると当たりとなり、遊技上の利益を獲得するうえで遊技者にとって有利となる遊技状態へと所定期間移行される。
【００１５】
当たりが得られるときに生じる有利な遊技状態となると、例えば開閉可能な扉部材を備えたアタッカ１８を１回につき所定時間又はパチンコ球が所定個数入賞するまで閉口状態から開口状態にし、これが所定回数繰り返される。始動入賞口１５、通常入賞口１６又はアタッカ１８の奥の大入賞口にパチンコ球が入賞すると所定個数の景品球となるパチンコ球（賞球）の払い出しが行われる。すなわち、入賞された入賞口の種類に応じた個数のパチンコ球が景品球として払い出し口２２から球受皿２３に払い出される。始動入賞口１５、通常入賞口１６又はアタッカ１８にパチンコ球が入賞しなかった場合は、未入賞のパチンコ球としてアウト口１９に入ってハズレ球として回収される。
【００１６】
遊技盤１２の遊技盤面１２ｄには、遊技盤面１２ｄに装飾を施すための装飾部材２２が互いに左右対称となるように２つ設けられている。装飾部材２２の下方には、遊技領域１２ｃに打ち出されたパチンコ球をアウト口１９にガイドする球ガイドレール２３が設けられている。
【００１７】
図２及び図３に示すように、装飾部材２２は例えばアクリル樹脂などの透光性を有する材料で形成されている。装飾部材２２の表面のうち、ガラス枠１３側の面（前面）は、後述するＬＥＤ（照明装置）２４からの光が反射する被照射面２２ａとされている。装飾部材２２の表面のうち、遊技盤面１２ｄ側の面（後面）はメッキ加工が施され、前記照射装置から照射された光を反射する反射面２２ｂとされている。装飾部材２２は透光性を有する材料で形成されているため、被照射面２２ａから反射面２２ｂを視認することができる。また、この反射面２２ｂには、反射面２２ｂを鋸歯状に形成した拡散部２２ｃが設けられている。拡散部２２ｃでは、前記照明装置からの光を複数の角度の面で反射させるため、前記照射装置からの光を拡散させることができる。
【００１８】
装飾部材２２には、通常入賞口形成部２２ｄが２箇所に形成されている。通常入賞口形成部２２ｄは、装飾部材２２の前面側に突出するように装飾部材２２と一体に形成され、その形状は上面側と背面側とが開口した箱形状に形成されている。装飾部材２２が遊技盤面１２ｄに取り付けられると、通常入賞口形成部２２ｄと遊技盤面１２ｄとで囲まれた領域が通常入賞口１６となる。
【００１９】
図４に示すように、球ガイドレール２３には、複数の開口２３ａが形成されており、それぞれの開口２３ａに対応するようにＬＥＤ２４から照射された光が開口２３ａを通して遊技領域１２ｃに照射されて遊技領域１２ｃが照明される。
【００２０】
次に、上記のように構成された本実施形態におけるパチンコ機１０の作用について説明する。遊技者が発射ハンドルＨを操作してパチンコ球発射装置を作動させ、遊技領域１２ｃにパチンコ球を打ち出すと、打ち出されたパチンコ球が始動入賞口１５、通常入賞口１６、通過入賞口１７のいずれかに入賞するか、あるいは、アウト口１９に入る。
【００２１】
例えば始動入賞口１５にパチンコ球が入賞し、遊技が開始されるとサブ制御基盤１２ｄは、ランプＲ及びＬＥＤ２４の点灯制御を行う。
【００２２】
図５に示すように、ＬＥＤ２４から照射された光は球ガイドレール２３の開口２３ａを通して遊技領域１２ｃに照射される。この光の一部は、装飾部材２２の被照射面２２ａで反射される。また、被照射面２２ａで反射せずに被照射面２２ａを透過した光は反射面２２ｂで反射される。このように、ＬＥＤ２４からの光が装飾部材２２の被照射面２２ａ及び反射面２２ｂで反射されて、装飾部材２２が光るため、ＬＥＤ２４の光を効率よく使用することができる。また、装飾部材２２の反射面２２ｂに拡散部２２ｃを設けたので、ＬＥＤ２４からの光が拡散部２２ｃで拡散し、装飾部材２２をさらに光らせることが可能になり、遊技者への視覚的な演出効果を高めることができる。さらには、ＬＥＤ２４からの光を利用して装飾部材２２を照らすため、装飾部材２２を照明するためのＬＥＤを遊技盤１２に専用に設ける必要がなく、これにより、パチンコ機１０を構成する部品点数を低減して、パチンコ機１０の製造コストの低減を図ることができる。
【００２３】
上記実施形態では、ＬＥＤ２４を複数設けたが、ＬＥＤ２４は適宜数設けてよく、また、ＬＥＤ２４を設ける位置は遊技領域１２ｃに光を照射することができれば適宜位置に設けてよい。
【００２４】
上記実施形態では、装飾部材２２に通常入賞口形成部２２ｄを一体に設けたが、通常入賞口形成部２２ｄを一体に設けなくてもよく、また、装飾部材２２の形状、設ける位置は適宜に設定してよい。
【００２５】
上記実施形態では、反射面２２ｂにメッキ加工を施したが、例えば塗装によって銀色などに着色するなど、反射面２２ｂは光を反射できるようにすれば、適宜の方法で加工してよい。
【００２６】
上記実施形態では、反射面２２ｂを鋸歯状にすることによって拡散部２２ｃとしたが、拡散部２２ｃの形状は、ＬＥＤ２４から照らされた光を拡散させることができれば適宜の形状にしてよい。
【００２７】
上記実施形態では、反射面２２ｂに拡散部２２ｃを設けたが、装飾部材２２の表面であれば、拡散部を設ける位置は適宜位置にしてよい。
【００２８】
上記実施形態では、拡散部２２ｃ全体を鋸歯状としたが、拡散部の一部分を鋸歯状としてもよい。
【００２９】
【発明の効果】
以上のように、本発明の遊技機によれば、装飾部材に、前記照明装置からの光を反射する反射面が設けられているので、装飾部材を照明するための照明装置を専用に設けなくても、遊技領域を照らす照明装置の光を利用して装飾部材を光らせることが可能になり、これにより、遊技機の部品点数を削減し、製造コストの低減を図ることができる。
【００３０】
また、前記装飾部材を透光性を有する部材で形成し、前記装飾部材の表面のうち、前記遊技盤面側の面に前記反射面を設けたので、前記反射面に加えて反射面以外の面でも照明装置からの光を反射させることが可能になり、これにより、遊技者への視覚的な演出効果を高めることができる。
【００３１】
また、前記装飾部材の表面に、前記照明装置からの光を拡散させる拡散部を設けたので、装飾部材で反射した光を複数の方向に拡散させて装飾部材を光らせることが可能になり、遊技者への視覚的な演出効果を高めることができる。
【００３２】
また、前記拡散部は、前記反射面及び前記反射面以外の面の少なくとも一面に形成された鋸歯状の部分を備えたので、装飾部材で反射した光を細かく拡散させて装飾部材を光らせることが可能になり、遊技者への視覚的な演出効果をさらに高めることができる。
【図面の簡単な説明】
【図１】本発明を実施したパチンコ機の外観斜視図である。
【図２】装飾部材の被照射面側の斜視図である。
【図３】装飾部材の反射面側の斜視図である。
【図４】装飾部材と球ガイドレールの位置関係を示す斜視図である。
【図５】ＬＥＤからの照射光が反射する様子を示す説明図である。
【符号の説明】
１０  パチンコ機
１１  本体ユニット
１２  遊技盤ユニット
１２ａ  遊技盤
１２ｃ  遊技領域
１２ｄ  遊技盤面
１３  ガラス枠
１３ａ  ガラス扉
１３ｂ  扉受け部
２２  装飾部材
２２ａ  被照射面
２２ｂ  反射面
２２ｃ  拡散部
２３  球ガイドレール
２４  ＬＥＤ（照明装置）
【図１】
2004337527.tif 000003
【図２】
2004337527.tif 000004
【図３】
2004337527.tif 000005
【図４】
2004337527.tif 000006
【図５】
2004337527.tif 000007